(57)【要約】【課題】利用用途に応じた画面モードに適切に遷移させる情報処理装置、情報処理方法及び情報処理プログラムを提供すること。【解決手段】１つ目のアプリを起動中に通知アプリフラグを取得したとき（ＳＴ２０１）、１画面状態から２画面状態に切り替えた場合には（ＳＴ２０３）、自動的に２アプリモードに遷移させて通知アプリを起動し（ＳＴ２０６）、２画面状態でフルスクリーンモードであった場合には（ＳＴ２０４）、２アプリモードに遷移させる操作を行う。【選択図】図４
2013246613.tif 000002
【特許請求の範囲】
【請求項１】
第１の画面を備える第１の筐体と、第２の画面を備える第２の筐体の変形により、１画面状態と２画面状態とに切り替え可能な情報処理装置であって、
前記第１の画面に起動した第１のアプリケーションを表示中に、更新された情報にアクセスする通知アプリケーションの前記情報が更新されたことを示す通知アプリフラグを取得した場合、前記通知アプリケーションを取得してから所定時間内に１画面状態から２画面状態に切り替わったか否かを判定する通知アプリ判定部と、
前記所定時間内に１画面状態から２画面状態に切り替わった場合、前記通知アプリケーションを起動するマルチアプリ制御部と、
起動した前記通知アプリケーションを前記第２の画面に表示させるマルチアプリ表示位置管理部と、
を具備する情報処理装置。
【請求項２】
前記通知アプリ判定部は、２画面状態において起動した第１のアプリケーションを表示中に、前記通知アプリフラグを取得した場合、前記通知アプリケーションを取得してから所定時間内に、２つのアプリケーションを前記第１の画面及び前記第２の画面のそれぞれにおいて同時に表示可能な２アプリモードに遷移したか否かを判定し、
前記マルチアプリ制御部は、前記所定時間内に２アプリモードに遷移した場合、前記通知アプリケーションを起動する、
請求項１に記載の情報処理装置。
【請求項３】
前記通知アプリ判定部は、２画面状態から１画面状態へ切り替わる途中で再度２画面状態に戻った場合、前記２アプリモードに遷移したと判定する、
請求項２に記載の情報処理装置。
【請求項４】
第１の画面を備える第１の筐体と、第２の画面を備える第２の筐体の変形により、１画面状態と２画面状態とに切り替え可能な情報処理装置における情報処理方法であって、
前記第１の画面に起動した第１のアプリケーションを表示中に、更新された情報にアクセスする通知アプリケーションの前記情報が更新されたことを示す通知アプリフラグを取得した場合、前記通知アプリケーションを取得してから所定時間内に１画面状態から２画面状態に切り替わったか否かを判定する通知アプリ判定工程と、
前記所定時間内に１画面状態から２画面状態に切り替わった場合、前記通知アプリケーションを起動するマルチアプリ制御工程と、
起動した前記通知アプリケーションを前記第２の画面に表示させるマルチアプリ表示位置管理工程と、
を具備する情報処理方法。
【請求項５】
第１の画面を備える第１の筐体と、第２の画面を備える第２の筐体の変形により、１画面状態と２画面状態とに切り替え可能な情報処理装置によって実行される情報処理プログラムであって、
前記第１の画面に起動した第１のアプリケーションを表示中に、更新された情報にアクセスする通知アプリケーションの前記情報が更新されたことを示す通知アプリフラグを取得した場合、前記通知アプリケーションを取得してから所定時間内に１画面状態から２画面状態に切り替わったか否かを判定する通知アプリ判定処理と、
前記所定時間内に１画面状態から２画面状態に切り替わった場合、前記通知アプリケーションを起動するマルチアプリ制御処理と、
起動した前記通知アプリケーションを前記第２の画面に表示させるマルチアプリ表示位置管理処理と、
を実行させる情報処理プログラム。
【発明の詳細な説明】
【技術分野】
【０００１】
本発明は、複数のアプリケーション（以下、「アプリ」という）を同時に利用する情報処理装置、情報処理方法及び情報処理プログラムに関する。
【背景技術】
【０００２】
近年、スマートフォン及びタブレットと呼ばれる端末が普及してきており、その形態の一例として、２つのタッチパネルを備えた端末（以下、「２タッチパネル端末」という）がある。
【０００３】
２タッチパネル端末は、タッチパネルをそれぞれ備えた２つの筐体を、例えば、ヒンジで接続している。ユーザは、ヒンジを軸にして２つの筐体を開いたり閉じたりする開閉操作を行うことができる。ユーザは、開閉操作を行うことで、用途に合わせて、２つのタッチパネルを所望の状態にすることができる。例えば、ユーザは、第１状態と第２状態とを切り替えることができる。第１状態は、２つの筐体を開くように動かす開操作により、２つの筐体が水平に配置され、２つのタッチパネルが並んだ状態をいう。第２状態は、２つの筐体を閉じるように動かす閉操作により、上部の筐体がスライドして２つの筐体が重ね合って配置された状態をいう。なお、開閉操作は、端末を変形させる変形操作の一例である。
【０００４】
このように、２タッチパネル端末は、変形操作によって、２つのタッチパネルが重ね合わされた状態（以下、「１画面状態」という）と、展開された状態（以下、「２画面状態」という）とを切り替えることができる。
【０００５】
一方で、一般的な端末においては、複数のアプリを同時に起動して、複数の処理を並行して処理するＯＳ（Operating System）が搭載されている。ユーザは、このような端末の機能を利用して、例えば、インターネットブラウザで情報を閲覧しながら、文書作成アプリケーションによって文書を作成するなどの処理を行うことができる。
【０００６】
上述した２タッチパネル端末においては、第１及び第２のアプリを起動し、一方のタッチパネルに第１のアプリを表示し、他方のタッチパネルに第２のアプリを表示することが考えられる。
【０００７】
ここでは、図１にアプリの表示状態に基づく画面の状態を画面モードとして定義する。１画面状態では、図１（ａ）に示すように、１画面で１アプリを起動して表示可能な画面モードを、シングルスクリーンモードと定義する。２画面状態では、図１（ｂ）に示すように、２画面全体で１アプリを起動して表示可能な画面モードを、フルスクリーンモードと定義する。また、２画面状態では、２画面で２アプリを起動して各画面に異なるアプリを表示可能な画面モードを、２アプリモードと定義する。
【０００８】
この画面モードを切り替える方法は、２タッチパネル端末を１画面状態から２画面状態に切り替えたとき、シングルスクリーンモードからフルスクリーンモードに遷移する第１の方法がある。一方、画面モードを切り替える別の方法としては、特許文献１に開示されているように、シングルスクリーンモードから２アプリモードに遷移する第２の方法がある。
【先行技術文献】
【特許文献】
【０００９】
【特許文献１】特開２００３−３１６５６３号公報
【発明の概要】
【発明が解決しようとする課題】
【００１０】
しかしながら、上述した第１の方法及び第２の方法では、１画面状態から２画面状態に切り替わった場合、シングルスクリーンモードからフルスクリーンモード又は２アプリモードのいずれか一方にしか遷移することができない。したがって、上述した第１の方法及び第２の方法では、利用用途に応じた画面モードに遷移させることができないという課題がある。
【００１１】
本発明の目的は、利用用途に応じた画面モードに適切に遷移させる情報処理装置、情報処理方法及び情報処理プログラムを提供することである。
【課題を解決するための手段】
【００１２】
本発明の一態様に係る情報処理装置は、第１の画面を備える第１の筐体と、第２の画面を備える第２の筐体の変形により、１画面状態と２画面状態とに切り替え可能な情報処理装置であって、前記第１の画面に起動した第１のアプリケーションを表示中に、更新された情報にアクセスする通知アプリケーションの前記情報が更新されたことを示す通知アプリフラグを取得した場合、前記通知アプリケーションを取得してから所定時間内に１画面状態から２画面状態に切り替わったか否かを判定する通知アプリ判定部と、前記所定時間内に１画面状態から２画面状態に切り替わった場合、前記通知アプリケーションを起動するマルチアプリ制御部と、起動した前記通知アプリケーションを前記第２の画面に表示させるマルチアプリ表示位置管理部と、を具備するものである。
【００１３】
本発明の一態様に係る情報処理方法は、第１の画面を備える第１の筐体と、第２の画面を備える第２の筐体の変形により、１画面状態と２画面状態とに切り替え可能な情報処理装置における情報処理方法であって、前記第１の画面に起動した第１のアプリケーションを表示中に、更新された情報にアクセスする通知アプリケーションの前記情報が更新されたことを示す通知アプリフラグを取得した場合、前記通知アプリケーションを取得してから所定時間内に１画面状態から２画面状態に切り替わったか否かを判定する通知アプリ判定工程と、前記所定時間内に１画面状態から２画面状態に切り替わった場合、前記通知アプリケーションを起動するマルチアプリ制御工程と、起動した前記通知アプリケーションを前記第２の画面に表示させるマルチアプリ表示位置管理工程と、を具備するものである。
【００１４】
本発明の一態様に係る情報処理プログラムは、第１の画面を備える第１の筐体と、第２の画面を備える第２の筐体の変形により、１画面状態と２画面状態とに切り替え可能な情報処理装置によって実行される情報処理プログラムであって、前記第１の画面に起動した第１のアプリケーションを表示中に、更新された情報にアクセスする通知アプリケーションの前記情報が更新されたことを示す通知アプリフラグを取得した場合、前記通知アプリケーションを取得してから所定時間内に１画面状態から２画面状態に切り替わったか否かを判定する通知アプリ判定処理と、前記所定時間内に１画面状態から２画面状態に切り替わった場合、前記通知アプリケーションを起動するマルチアプリ制御処理と、起動した前記通知アプリケーションを前記第２の画面に表示させるマルチアプリ表示位置管理処理と、を実行させるものである。
【発明の効果】
【００１５】
本発明は、利用用途に応じた画面モードに適切に遷移させることができる。
【図面の簡単な説明】
【００１６】
【図１】アプリの表示状態に基づく画面の状態を定義する説明に供する図
【図２】本発明の実施の形態に係る情報処理装置の構成を示すブロック図
【図３】スマートフォンのステータスバーを示す図
【図４】本発明の実施の形態に係る情報処理装置における通知アプリ起動手順を示すフロー図
【図５】フルスクリーンモードから２アプリモードへの遷移方法の説明に供する図
【発明を実施するための形態】
【００１７】
以下、本発明の実施の形態について、図面を参照して詳細に説明する。
【００１８】
＜情報処理装置１００の構成＞
図２は、本発明の実施の形態に係る情報処理装置１００の構成を示すブロック図である。実施の形態に係る情報処理装置１００は、画面モード判定部１０１、通知アプリ判定部１０２、タイマー部１０３、アプリ制御部１１０、表示制御部１２０、および、ディスプレイ１３０，１４０を具備する。以下、図２を用いて情報処理装置１００の構成について説明する。本実施の形態の「１画面状態」は、２つのディスプレイ（タッチパネル）が重ね合って配置され、少なくとも一方のディスプレイが露出した状態を含む場合を例に説明する。つまり、本実施の形態では、第１の画面を備える第１の筐体と、第２の画面を備える第２の筐体の変形により１画面状態と２画面状態とに切り替え可能な情報処理装置である。
【００１９】
画面モード判定部１０１は、画面モードがシングルスクリーンモード、フルスクリーンモードまたは２アプリモードのいずれかを判断し、判断結果を画面モード判定フラグとして通知アプリ判定部１０２に出力する。なお、画面モード判定部１０１は、画面モードが変化するたびに画面モード判定フラグを出力する。
【００２０】
通知アプリ判定部１０２は、アプリ制御部１１０から通知アプリフラグを取得すると、タイマー１０３を起動する。そして、通知アプリ判定部１０２は、所定時間内（タイマー満了前）に画面モード判定部１０１から出力された画面モード判定フラグを取得する。そして、画面モード判定フラグがフルスクリーンモードまたは２アプリモードを示す場合、通知アプリの起動を指示する通知アプリ起動フラグをアプリ制御部１１０のマルチアプリ制御部１１１に出力する。なお、通知アプリ判定部１０２は、シングルスクリーンモードを示す画面モード判定フラグを取得した場合、通知アプリ起動フラグを出力しない。また、通知アプリ判定部１０２は、タイマー満了後にフルスクリーンモードまたは２アプリモードを示す画面モード判定フラグを取得した場合も、通知アプリ起動フラグを出力しない。
【００２１】
ここで、通知アプリとは、定期的又は不定期に更新される情報にアクセスするアプリであって、アプリが起動していない状態で情報が更新されたことをユーザに通知するアプリである。通知アプリは、例えば、メールの受信をユーザに通知するメールアプリなどが挙げられる。情報の更新をユーザに通知する方法は、主に、図３に示すように、スマートフォンのステータスバーにアプリのアイコン等を表示する。
【００２２】
アプリ制御部１１０は、アプリＡ、Ｂ、およびマルチアプリ制御部１１１を有し、情報が更新されたアプリを示す通知アプリフラグを通知アプリ判定部１０２に出力する。
【００２３】
アプリＡ、Ｂは、マルチアプリ制御部１１１との間で、各種情報の入力および出力を行う。
【００２４】
マルチアプリ制御部１１１は、通知アプリ判定部１０２から通知アプリ起動フラグが出力されると、通知アプリ起動フラグが示すアプリＡ又はＢを起動し、起動したアプリとの間で各種情報の入力及び出力を行う。また、マルチアプリ制御部１１１は、表示制御部１２０のマルチアプリ表示位置管理部１２１から出力された表示位置情報をアプリＡ又はＢへ通知する。ここで、表示位置情報とは、アプリＡ、Ｂをそれぞれ、ディスプレイＡおよびディスプレイＢのどの位置に表示するかを示す情報である。表示位置情報とは、例えば、フルスクリーンモードで表示する場合の表示位置、２アプリモードで表示する場合の表示位置等を示す。アプリＡ、Ｂは、入力したそれらの情報に基づいて、予め定められた処理を行う。そして、アプリＡ、Ｂは、処理の結果を示す処理結果情報を、マルチアプリ制御部１１１に出力する。マルチアプリ制御部１１１は、アプリＡ、Ｂから出力された処理結果情報に基づいて、表示制御部１２０のマルチアプリ表示位置管理部１２１へ表示指示を出力する。
【００２５】
表示制御部１２０は、マルチアプリ表示位置管理部１２１、アプリ表示制御部１２２、１２３、および分割表示制御部１２４を有する。
【００２６】
マルチアプリ表示位置管理部１２１は、マルチアプリ制御部１１１から出力された表示指示を、アプリ表示制御部１２２または１２３へ出力する。また、マルチアプリ表示位置管理部１２１は、アプリ表示制御部１２２または１２３から表示位置情報を受け取ると、自らが保持している表示位置情報を、受け取った表示位置情報に更新する。そして、マルチアプリ表示位置管理部１２１は、更新した表示位置情報をマルチアプリ制御部１１１に出力する。
【００２７】
アプリ表示制御部１２２は、アプリＡのデフォルト表示位置を示す表示位置情報を有し、アプリ表示制御部１２３は、アプリＢのデフォルト表示位置を示す表示位置情報を有する。
【００２８】
また、マルチアプリ表示位置管理部１２１は、更新した表示位置情報に基づいて全画面表示情報を生成し、分割表示制御部１２４へ出力する。全画面表示情報とは、例えば、ディスプレイ１３０および１４０に表示される画像データである。
【００２９】
アプリ表示制御部１２２は、マルチアプリ表示位置管理部１２１から出力された表示指示に基づいて、自身が有するアプリＡの表示位置情報を変更する。アプリ表示制御部１２３は、マルチアプリ表示位置管理部１２１から出力された表示指示に基づいて、自身が有するアプリＢの表示位置情報を変更する。このようにして、表示位置情報の変更が完了すると、アプリ表示制御部１２２、１２３は、変更した表示位置情報をマルチアプリ表示位置管理部１２１に出力する。
【００３０】
分割表示制御部１２４は、マルチアプリ表示位置管理部１２１から入力した全画面表示情報が示す画像データを分割し、ディスプレイ１３０、１４０に出力する。
【００３１】
なお、情報処理装置１００は、図示していないが、例えば、ＣＰＵ（Central Processing Unit）、制御プログラムを格納したＲＯＭ（Read Only Memory）などの記憶媒体、およびＲＡＭ（Random Access Memory）などの作業用メモリを有する。この場合、上記した各部の機能は、ＣＰＵが制御プログラムを実行することにより実現される。
【００３２】
＜通知アプリ起動手順＞
次に、上述した情報処理装置１００における通知アプリ起動手順について、図４を用いて説明する。ステップ（以下、「ＳＴ」と省略する）２０１において、１つ目のアプリを起動中に、通知アプリ判定部１０２は、アプリ制御部１１０から通知アプリフラグを取得し、タイマー１０３を起動する。
【００３３】
ＳＴ２０２において、通知アプリ判定部１０２は、画面モード判定部１０１から取得した画面モード判定フラグがシングルスクリーンモードを示すか否かを判定する。シングルスクリーンモードを示す（ＳＴ２０２：ＹＥＳ）場合、通知アプリ判定部１０２は、ＳＴ２０３に移行し、シングルスクリーンモードを示さない（ＳＴ２０２：ＮＯ）場合、ＳＴ２０４に移行する。
【００３４】
ＳＴ２０３において、通知アプリ判定部１０２は、タイマー満了前に２画面状態に切り替わったか否かを、画面モード判定部１０１から取得した画面モード判定フラグに基づいて判定する。２画面状態に切り替わった（ＳＴ２０３：ＹＥＳ）場合、通知アプリ判定部１０２は、ＳＴ２０６に移行し、２画面状態に切り替わっていない（ＳＴ２０３：ＮＯ）場合、通知アプリ起動手順を終了する。
【００３５】
ＳＴ２０４において、通知アプリ判定部１０２は、画面モードがフルスクリーンモードか否かを判定する。フルスクリーンモードである（ＳＴ２０４：ＹＥＳ）場合、通知アプリ判定部１０２は、ＳＴ２０５に移行し、フルスクリーンモードではない（ＳＴ２０４：ＮＯ）場合、通知アプリ起動手順を終了する。
【００３６】
ＳＴ２０５において、通知アプリ判定部１０２は、タイマー満了前に画面モードが２アプリモードに遷移したか否かを判定する。２アプリモードに遷移した（ＳＴ２０５：ＹＥＳ）場合、通知アプリ判定部１０２は、ＳＴ２０６に移行し、２アプリモードに遷移していない（ＳＴ２０５：ＮＯ）場合、通知アプリ起動手順を終了する。
【００３７】
ＳＴ２０６において、マルチアプリ制御部１１１は、画面モードが２アプリモードに遷移していなければ、自動的に２アプリモードに遷移させ、通知アプリを起動する。
【００３８】
ＳＴ２０７において、表示制御部１２０は、起動した通知アプリを一方のディスプレイに表示し、通知アプリ起動手順を終了する。
【００３９】
＜フルスクリーンモードから２アプリモードへの遷移方法＞
次に、フルスクリーンモードから２アプリモードへ遷移させる方法について、図５を用いて説明する。図５（ａ）において、画面モードがフルスクリーンモードであり、通知アプリからの通知があった場合、ユーザは、図５（ｂ）に示すように、情報処理装置１００を閉操作し、一時的に２画面状態を解消する。このとき、ユーザは、情報処理装置１００を完全に１画面状態にする必要はなく、２画面状態から１画面状態への切り替え途中で閉操作を停止する。
【００４０】
続いて、ユーザは、停止した閉操作から開操作を行って、図５（ｃ）に示す２画面状態に戻す。本実施の形態では、この一連の操作を行うことにより、画面モードを２アプリモードに遷移させることができる。
【００４１】
このように、本実施の形態によれば、１つ目のアプリを起動中に通知アプリフラグを取得したとき、１画面状態から２画面状態に切り替えた場合には、自動的に２アプリモードに遷移させる。そして、２画面状態でフルスクリーンモードであった場合には、２アプリモードに遷移させる操作を行うことにより、通知アプリを２つ目のアプリとして１つ目のアプリと共にそれぞれ異なるディスプレイで起動させることができる。このようにして、本実施の形態は、利用用途に応じた画面モードに適切に遷移させることができる。
【００４２】
以上、本実施の形態の上記説明は、一例であり、種々の変形が可能である。例えば、上述した情報処理装置１００の動作は、ハードウェアとの連係において、ソフトウェアによって実現することも可能である。
【００４３】
また、本実施の形態では、シングルスクリーンモードから２アプリモードへ遷移する条件を、通知アプリフラグ取得後、所定時間内に情報処理装置１００を２画面状態へ切り替えた場合として説明したが、これに限るものではない。本実施の形態は、例えば、情報処理装置１００の待ち受け時に通知アプリフラグを取得した場合、情報処理装置１００のロックを解除してから所定時間内に２画面状態に切り替えた場合としてもよい。
【００４４】
また、本実施の形態では、アプリＡ、Ｂが横に並んで表示される例を説明したが、本発明はこれに限定されない。例えば、アプリＡ、Ｂが縦に並んで表示される場合においても、本発明は、適用できる。
【００４５】
以上、本願発明の情報処理装置は、第１の画面を備える第１の筐体と、第２の画面を備える第２の筐体の変形により、１画面状態と２画面状態とに切り替え可能な情報処理装置であって、前記第１の画面に起動した第１のアプリケーションを表示中に、更新された情報にアクセスする通知アプリケーションの前記情報が更新されたことを示す通知アプリフラグを取得した場合、前記通知アプリケーションを取得してから所定時間内に１画面状態から２画面状態に切り替わったか否かを判定する通知アプリ判定部と、前記所定時間内に１画面状態から２画面状態に切り替わった場合、前記通知アプリケーションを起動するマルチアプリ制御部と、起動した前記通知アプリケーションを前記第２の画面に表示させるマルチアプリ表示位置管理部と、を具備するものである。
【００４６】
また、本願発明の情報処理装置は、前記通知アプリ判定部が、２画面状態において起動した第１のアプリケーションを表示中に、前記通知アプリフラグを取得した場合、前記通知アプリケーションを取得してから所定時間内に、２つのアプリケーションを前記第１の画面及び前記第２の画面のそれぞれにおいて同時に表示可能な２アプリモードに遷移したか否かを判定し、前記マルチアプリ制御部が、前記所定時間内に２アプリモードに遷移した場合、前記通知アプリケーションを起動するものである。
【００４７】
また、本願発明の情報処理装置は、前記通知アプリ判定部は、２画面状態から１画面状態へ切り替わる途中で再度２画面状態に戻った場合、前記２アプリモードに遷移したと判定するものである。
【００４８】
また、本願発明の情報処理方法は、第１の画面を備える第１の筐体と、第２の画面を備える第２の筐体の変形により、１画面状態と２画面状態とに切り替え可能な情報処理装置における情報処理方法であって、前記第１の画面に起動した第１のアプリケーションを表示中に、更新された情報にアクセスする通知アプリケーションの前記情報が更新されたことを示す通知アプリフラグを取得した場合、前記通知アプリケーションを取得してから所定時間内に１画面状態から２画面状態に切り替わったか否かを判定する通知アプリ判定工程と、前記所定時間内に１画面状態から２画面状態に切り替わった場合、前記通知アプリケーションを起動するマルチアプリ制御工程と、起動した前記通知アプリケーションを前記第２の画面に表示させるマルチアプリ表示位置管理工程と、を具備するものである。
【００４９】
また、本願発明の情報処理プログラムは、第１の画面を備える第１の筐体と、第２の画面を備える第２の筐体の変形により、１画面状態と２画面状態とに切り替え可能な情報処理装置によって実行される情報処理プログラムであって、前記第１の画面に起動した第１のアプリケーションを表示中に、更新された情報にアクセスする通知アプリケーションの前記情報が更新されたことを示す通知アプリフラグを取得した場合、前記通知アプリケーションを取得してから所定時間内に１画面状態から２画面状態に切り替わったか否かを判定する通知アプリ判定処理と、前記所定時間内に１画面状態から２画面状態に切り替わった場合、前記通知アプリケーションを起動するマルチアプリ制御処理と、起動した前記通知アプリケーションを前記第２の画面に表示させるマルチアプリ表示位置管理処理と、を実行させるものである。
【産業上の利用可能性】
【００５０】
本発明にかかる情報処理装置、情報処理方法及び情報処理プログラムは、例えば、スマートフォン及びタブレット等に適用できる。
【符号の説明】
【００５１】
１００  情報処理装置
１０１  画面モード判定部
１０２  通知アプリ判定部
１０３  タイマー
１１０  アプリ制御部
１１１  マルチアプリ制御部
１２０  表示制御部
１２１  マルチアプリ表示位置管理部
１２２、１２３  アプリ表示制御部
１２４  ディスプレイ分割表示制御部
１３０、１４０  ディスプレイ
【図１】
2013246613.tif 000003
【図２】
2013246613.tif 000004
【図４】
2013246613.tif 000005
【図５】
2013246613.tif 000006
【図３】
2013246613.tif 000007